(57)【特許請求の範囲】
【請求項１】
容器本体と、該容器本体に被蓋されるとともに、回収品の投入口が穿設された中蓋と、該中蓋に被蓋される外蓋とからなる回収容器であって、前記外蓋の一方の相対する傾斜側面の外壁面には、係合突起を形成し、また、前記中蓋の一方の相対する傾斜側壁には、前記外蓋の一方の相対する傾斜側面の外壁面に形成された係合突起が挿入される窪み部を形成するとともに、前記中蓋のもう一方の相対する傾斜側壁には、前記外蓋の一方の相対する傾斜側面の外壁面に形成された係合突起が係合される舌片を形成することにより、中蓋から外蓋を取り外すことができる仮被蓋状態と、中蓋から外蓋を取り外すことができない本被蓋状態とに、選択可能であることを特徴とする回収容器。
【請求項２】
中蓋への外蓋の被蓋状態が、仮被蓋状態にある場合と、本被蓋状態にある場合とで、識別可能であることを特徴とする請求項１に記載の回収容器。
【発明の詳細な説明】
【０００１】
【発明の属する技術分野】
本発明は、使用済みのガーゼ、注射器、注射針、点滴容器等の医療器具や、硝子の破片やピン等の危険物や、危険薬品等の付着した種々の部材等（以下、単に、「回収品」という。）を収容するための回収容器に関するものである。
【０００２】
【従来の技術】
従来、上方が開口された容器本体の開口部に、回収品の投入口が穿設された中蓋を嵌合し、容器本体が、一杯になった後に、中蓋に外蓋を、容易に外蓋が外れないように嵌着して、中蓋に穿設された回収品の投入口から、回収品が排出しないようにした回収容器が知られている。
【０００３】
【発明が解決しようとする課題】
従来の回収容器においては、一旦、外蓋を、中蓋に嵌着すると、簡単には、取り外すことができないように構成されているために、回収容器の使用中は、外蓋を被蓋することなく、回収品の投入口が穿設された中蓋のみが、容器本体に被蓋されていた。従って、中蓋の投入口から異臭が漏れたり、或いは、回収容器が倒れた際に、回収品が中蓋の投入口から飛び出る等の問題があった。また、不注意で、外蓋を、中蓋に嵌着してしまい、回収容器の再使用ができないという問題があった。
【０００４】
本発明の目的は、上述した従来の回収容器が有する課題を解決するとともに、安全性の高い、しかも、作業性及び取扱性に優れた回収容器を提供することにある。
【０００５】
【課題を解決するための手段】
本発明は、上述した目的を達成するために、第１には、容器本体と、該容器本体に被蓋されるとともに、回収品の投入口が穿設された中蓋と、該中蓋に被蓋される外蓋とからなる回収容器であって、前記外蓋の一方の相対する傾斜側面の外壁面には、係合突起を形成し、また、前記中蓋の一方の相対する傾斜側壁には、前記外蓋の一方の相対する傾斜側面の外壁面に形成された係合突起が挿入される窪み部を形成するとともに、前記中蓋のもう一方の相対する傾斜側壁には、前記外蓋の一方の相対する傾斜側面の外壁面に形成された係合突起が係合される舌片を形成することにより、中蓋から外蓋を取り外すことができる仮被蓋状態と、中蓋から外蓋を取り外すことができない本被蓋状態とに、選択可能としたものであり、第２には、中蓋への外蓋の被蓋状態が、仮被蓋状態にある場合と、本被蓋状態にある場合とで、識別可能となるように構成したものである。
【０００６】
以下に、本発明の回収容器の分解斜視図である図１、本発明の回収容器の一部垂直断面を含む正面図である図２、本発明の回収容器の部分垂直断面図である図３、本発明の回収容器を構成する中蓋と外蓋の斜視図である図４及び同じく本発明の回収容器を構成する中蓋と外蓋の斜視図である図５を用いて、本発明の実施例について説明するが、本発明の趣旨を越えない限り何ら、本実施例に限定されるものではない。
【０００７】
Ｃは、回収容器の容器本体であり、容器本体Ｃは、上部が開口された有底の略角筒体或いは略円筒体等の筒状に形成されている。容器本体Ｃの上端には、略水平方向に外側に延在する係止フランジｃ１が形成されており、また、係止フランジｃ１の直ぐ下方には、容器本体Ｃの外壁ｃ２から、略水平方向に外側に延在する水平部ｃ３’と、該水平部ｃ３’の先端から、略垂直方向に垂下された垂直部ｃ３”とからなる、容器本体Ｃの周囲を囲む環状フランジｃ３が形成されている。
【０００８】
Ｎは、回収容器の中蓋であり、中蓋Ｎには、天部ｎ１の外周縁に沿って逆Ｕ字状の嵌合凹部ｎ２が形成されており、嵌合凹部ｎ２を形成する外側垂直壁ｎ３の内壁には、係合突起ｎ４が突設されている。中蓋Ｎの嵌合凹部ｎ２に、容器本体Ｃの上端を嵌合させるとともに、中蓋Ｎの嵌合凹部ｎ２の外側垂直壁ｎ３に突設された係合突起ｎ４と、容器本体Ｃの係止フランジｃ１とを係止させることにより、容器本体Ｃに、中蓋Ｎを嵌着させるように構成されている。なお、中蓋Ｎの嵌合凹部ｎ２に、パッキンｎ５を挿着することにより、容器本体Ｃに、中蓋Ｎを密閉状に被蓋することができる。
【０００９】
なお、上述した容器本体Ｃの周囲に形成された環状フランジｃ３は、回収容器の把手としての機能を有するとともに、容器本体Ｃに嵌着された中蓋Ｎの嵌合凹部ｎ２を形成する外側垂直壁ｎ３の下端部に接近して、環状フランジｃ３が位置するように構成されているので、中蓋Ｎの嵌合凹部ｎ２を形成する外側垂直壁ｎ３の下端部と環状フランジｃ３間に形成される間隙に、誤って、指等が入って、中蓋Ｎを把手代わりに持ったために、間違って、容器本体Ｃから中蓋Ｎが外れるようなことが防止できる。
【００１０】
中蓋Ｎの天部ｎ１の中央部には、平面形状が、略方形状の凹部ｎ６が形成されており、凹部ｎ６は、傾斜側壁ｎ６’と底部ｎ６”とから形成されている。底部ｎ６”の中央には、回収品が投入可能な投入口ｎ７が穿設されており、投入口ｎ７を囲むように、且つ、投入口ｎ７に連通するスリットｎ７’を放射状に形成することにより、投入口ｎ７の周囲に、弾性的な舌片ｎ８が形成されている。このように、投入口ｎ７を囲むように舌片ｎ８を配設することにより、投入口ｎ７より大きな回収品を、中蓋Ｎを通して容器本体Ｃに収納することができるように構成されている。
【００１１】
中蓋Ｎの凹部ｎ６を形成する底部ｎ６”には、投入口ｎ７の他に、注射針が挿入可能な注射針分離用透孔ｎ９が穿設されている。注射針分離用透孔ｎ９の平面形状は、小径孔部ｎ９’と大径孔部ｎ９”が連通して形成された繭状に形成されている。注射針を、容器本体Ｃに収納する場合には、注射器に嵌着された注射針を、注射針分離用透孔ｎ９の大径孔部ｎ９”に挿入し、次いで、注射器を、水平方向に移動させて、注射針の鍔部を、注射針分離用透孔ｎ９の小径孔部ｎ９’の周囲の底部ｎ６”の下方に配置し、その後、注射器を、持ち上げることにより、注射器から注射針を引き抜き、引き抜かれた注射針を、容器本体Ｃに収納することができるように構成されている。
【００１２】
中蓋Ｎの天部ｎ１に形成された凹部ｎ６を構成する傾斜側壁ｎ６’の一方の相対する傾斜側壁ｎ６’には、下方に延設された舌片ｎ１０’を有する透孔ｎ１０が形成されている。本実施例においては、舌片ｎ１０’を有する透孔ｎ１０は、相対する各傾斜側壁ｎ６’に、それぞれ、２つ並設されている。また、中蓋Ｎの天部ｎ１に形成された凹部ｎ６を構成する傾斜側壁ｎ６’のもう一方の相対する傾斜側壁ｎ６’には、傾斜側壁ｎ６’の上端部にまで達する窪み部ｎ１１が形成されている。本実施例においては、窪み部ｎ１１は、上記の舌片ｎ１０’を有する透孔ｎ１０と同様に、相対する各傾斜側壁ｎ６’に、それぞれ、２つ並設されている。なお、ｎ１２は、凹部ｎ６の周縁に沿った天部ｎ１に形成された段部であり、後述する外蓋のフランジ部が嵌合できるように構成されている。
【００１３】
Ｓは、中蓋Ｎに被蓋される外蓋であり、外蓋Ｓは、中蓋Ｎの天部ｎ１に形成された凹部ｎ６に嵌合可能で有底な筐体部ｓ１と、該筐体部ｓ１の上端から略水平方向に外側に延在するフランジ部ｓ２とを有している。外蓋Ｓの筐体部ｓ１の中央部には、底部ｓ１’から膨出された、平面形状が長方形状の把手部ｓ３が形成されている。また、筐体部ｓ１の一方の相対する傾斜側壁ｓ４の外壁面には、係合突起ｓ５が突設されている。本実施例においては、係合突起ｓ５は、相対する各傾斜側壁ｓ４の外壁面に、それぞれ、２つ並設されている。
【００１４】
次に、容器本体Ｃ、中蓋Ｎ及び外蓋Ｓからなる回収容器の組み立て及び使用方法について説明する。
【００１５】
上述したように、中蓋Ｎの嵌合凹部ｎ２に、容器本体Ｃの上端を嵌合させるとともに、中蓋Ｎの嵌合凹部ｎ２の外側垂直壁ｎ３に突設された係合突起ｎ４に、容器本体Ｃの係止フランジｃ１とを係止させることにより、容器本体Ｃに、中蓋Ｎを嵌着させる。このようにして組み立てられた中蓋Ｎが被蓋された容器本体Ｃに、中蓋Ｎの投入口ｎ７及び注射針分離用透孔ｎ９から、回収品を収納する。
【００１６】
中蓋Ｎが嵌合された容器本体Ｃが、未だ一杯になっていないで、使用中の場合には、図５に示されているように、中蓋Ｎの傾斜側壁ｎ６’の一方の相対する傾斜側壁ｎ６’に形成された窪み部ｎ１１に、外蓋Ｓの筐体部ｓ１の一方の相対する傾斜側壁ｓ４の外壁面に突設された係合突起ｓ５が挿入されるように、中蓋Ｎの凹部ｎ６に、外蓋Ｓの筐体部ｓ１を嵌合させる。このように、中蓋Ｎの凹部ｎ６に、外蓋Ｓの筐体部ｓ１を嵌合させることにより、中蓋Ｎに穿設された投入口ｎ７や注射針分離用透孔ｎ９を、外蓋Ｓにより被蓋することができるので、中蓋Ｎの投入口ｎ７や注射針分離用透孔ｎ９から異臭が漏れたり、或いは、回収容器が倒れた際に、回収品が、中蓋Ｎの投入口ｎ７や注射針分離用透孔ｎ９から飛び出るようなことがない。
【００１７】
また、中蓋Ｎの傾斜側壁ｎ６’の傾斜側壁ｎ６’に形成された窪み部ｎ１１に、外蓋Ｓの筐体部ｓ１の傾斜側壁ｓ４の外壁面に突設された係合突起ｓ５が挿入されているだけの、中蓋Ｎに、外蓋Ｓが、仮に被蓋された仮被蓋状態であるので、外蓋Ｓの把手部ｓ３を持って、外蓋Ｓを持ち上げるだけで、簡単に、中蓋Ｎから外蓋Ｓを取り外すことができるので、外蓋Ｓを取って、中蓋Ｎに穿設された投入口ｎ７や注射針分離用透孔ｎ９から、容器本体Ｃ内に、回収品を収納することができる。
【００１８】
中蓋Ｎが嵌合された容器本体Ｃが一杯になった場合には、図４に示されているように、図５に示されている状態から、外蓋Ｓを、水平面上を９０°回転させて、外蓋Ｓの筐体部ｓ１の傾斜側壁ｓ４の外壁面に突設された係合突起ｓ５を、中蓋Ｎの傾斜側壁ｎ６’のもう一方の相対する傾斜側壁ｎ６’に形成された、舌片ｎ１０’を有する透孔ｎ１０に挿着すると、外蓋Ｓの筐体部ｓ１の傾斜側壁ｓ４の外壁面に突設された係合突起ｓ５の上面ｓ５’に、中蓋Ｎの傾斜側壁ｎ６’に形成された舌片ｎ１０’の下端ｎ１０”が係合されて、中蓋Ｎから簡単には、外蓋Ｓが取り外せない状態の本被蓋状態となる。
【００１９】
係合突起ｓ５が突設されている外蓋Ｓのフランジ部ｓ２には、係合突起ｓ５が突設されている側を示す矢印等の適当な印を付すとともに、また、中蓋Ｎの天部ｎ１にも、舌片ｎ１０’を有する透孔ｎ１０が穿設されている側を示す矢印等の適当な印を付すことにより、外蓋Ｓの印と中蓋Ｎの印とが符号した場合には、外蓋Ｓの筐体部ｓ１の傾斜側壁ｓ４に突設された係合突起ｓ５と、中蓋Ｎの傾斜側壁ｎ６’に形成された舌片ｎ１０’とが係合することを、作業者に、明確に示すことにより、未だ回収品が収納可能な中蓋Ｎが嵌合された容器本体Ｃに、外蓋Ｓを被蓋してしまうようなトラブルを未然に防止することができる。なお、外蓋Ｓの把手部ｓ３の長手方向を、外蓋Ｓのフランジ部ｓ２に形成される印に代えることもできる。
【００２０】
【発明の効果】
本発明は、以上説明したように構成されているので、以下に記載する効果を奏するものである。
【００２１】
回収容器の使用中に、外蓋を、簡単に、取り外すことができるように、中蓋に被蓋したので、中蓋の回収品の投入口から異臭が漏れたりするようなことがなく、また、回収容器が倒れた際にも、回収品が中蓋の投入口から飛び出るようなことがない。
【００２２】
中蓋への外蓋の被蓋状態が、仮被蓋状態にある場合と、本被蓋状態にある場合とで識別可能であるので、外蓋を、中蓋に嵌着してしまい、回収容器の再使用ができないというような問題を解消することができるとともに、回収容器の作業性及び取扱性が向上する。
【００２３】
中蓋の一方の相対する傾斜側壁に凹部を形成するとともに、中蓋のもう一方の相対する傾斜側壁には係合突起を形成し、外蓋には、前記凹部或いは係合突起に、嵌合或いは係合可能な係合突起を形成した簡単な構成により、回収容器の使用中における、回収容器からの異臭の漏れや、回収容器が倒れた際の回収品の飛び出しを防止することができるとともに、回収容器の使用後に、中蓋から外蓋が、簡単に、外れるようなことが防止できる。
【図面の簡単な説明】
【図１】図１は本発明の回収容器の分解斜視図である。
【図２】図２は本発明の回収容器の一部垂直断面を含む正面図である。
【図３】図３は本発明の回収容器の部分垂直断面図である。
【図４】図４は本発明の回収容器を構成する中蓋と外蓋の斜視図である。
【図５】図５は同じく本発明の回収容器を構成する中蓋と外蓋の斜視図である。
【符号の説明】
Ｃ・・・・・・・容器本体
Ｎ・・・・・・・中蓋
Ｓ・・・・・・・外蓋
ｎ６・・・・・・凹部
ｎ７・・・・・・投入口
ｎ１０’・・・・舌片
ｓ５・・・・・・係合突起
【図１】
0003866830.tif 000002
【図２】
0003866830.tif 000003
【図３】
0003866830.tif 000004
【図４】
0003866830.tif 000005
【図５】
0003866830.tif 000006